(57)【要約】【課題】ユーザや容態に応じた適切な評価結果を知らせることができる成分測定装置、成分測定システム、医療機器及びプログラムを提供する。【解決手段】血糖計１０Ａは、過去に測定された所定数の血糖測定値の平均血糖測定値と標準偏差とに基づいて各々血糖範囲が設定された複数の評価区分を含む評価データを作成する評価データ作成部８２と、評価データを用いて今回の血糖測定値が属する血糖範囲の評価区分を決定する評価区分決定部８６と、決定された評価区分に対応した評価画面データを作成する画面データ作成部８８と、評価画面データをディスプレイ３０に出力するデータ出力部７７とを備える。【選択図】図６
2015066142.tif 000002
【特許請求の範囲】
【請求項１】
体液成分を測定する測定部と、
前記測定部で過去に測定された所定数の測定値の平均値と標準偏差とを演算する演算部と、
前記平均値と前記標準偏差とに基づいて各々範囲が設定された複数の評価区分を含む評価データを作成する評価データ作成部と、
前記評価データを用いて前記測定部で測定された今回の測定値が属する範囲の前記評価区分を決定する評価区分決定部と、
前記評価区分決定部で決定された前記評価区分に対応した評価画面データを作成する画面データ作成部と、
前記画面データ作成部で作成された前記評価画面データをディスプレイに出力するデータ出力部と、
を備える、
ことを特徴とする成分測定装置。
【請求項２】
請求項１記載の成分測定装置において、
前記評価データ作成部は、最外に位置する前記評価区分と正常範囲を含む前記評価区分との間の前記評価区分に前記平均値が含まれるように前記評価データを作成する、
ことを特徴とする成分測定装置。
【請求項３】
請求項１又は２に記載の成分測定装置において、
前記評価データ作成部は、前記測定部が前記体液成分を前記所定数測定するごとに前記評価データを更新する、
ことを特徴とする成分測定装置。
【請求項４】
請求項１〜３のいずれか１項に記載の成分測定装置において、
前記画面データ作成部は、前記評価区分決定部で決定された前記評価区分に対応する色の背景及び当該評価区分に対応する評価マークのうち少なくともいずれか一方を有する前記評価画面データを作成する、
ことを特徴とする成分測定装置。
【請求項５】
請求項４記載の成分測定装置において、
前記評価画面データには、前記測定部で測定された今回の前記測定値が含まれている、
ことを特徴とする成分測定装置。
【請求項６】
請求項１〜５のいずれか１項に記載の成分測定装置において、
少なくとも１つの前記評価区分の前記範囲の幅が所定の第１設定値よりも小さい場合に前記第１設定値が当該範囲の幅となるように前記評価データを補正し、少なくとも１つの前記評価区分の前記範囲の幅が所定の第２設定値よりも大きい場合に前記第２設定値が当該範囲の幅となるように前記評価データを補正する評価データ補正部を備える、
ことを特徴とする成分測定装置。
【請求項７】
請求項１記載の成分測定装置において、
前記演算部は、前記測定部で初期に測定された複数の前記測定値の初期標準偏差を演算し、
前記評価データ作成部は、初期設定データと前記初期標準偏差とに基づいて各々範囲が設定された複数の評価区分を含む初期評価データを作成し、
前記評価区分決定部は、前記初期評価データに基づいて前記測定部で測定された今回の前記測定値が属する範囲の前記評価区分を決定する、
ことを特徴とする成分測定装置。
【請求項８】
請求項７記載の成分測定装置において、
前記評価データ作成部は、前記初期評価データに換えて前記評価データを作成する、
ことを特徴とする成分測定装置。
【請求項９】
請求項１〜８のいずれか１項に記載の成分測定装置において、
前記データ出力部から出力された前記評価画面データを表示させる前記ディスプレイをさらに備える、
ことを特徴とする成分測定装置。
【請求項１０】
体液成分を測定する測定部を有する成分測定装置と、
前記成分測定装置と通信可能な端末装置と、
前記測定部で過去に測定された所定数の測定値の平均値と標準偏差とを演算する演算部と、
前記平均値と前記標準偏差とに基づいて各々範囲が設定された複数の評価区分を含む評価データを作成する評価データ作成部と、
前記評価データを用いて前記測定部で測定された今回の測定値が属する範囲の前記評価区分を決定する評価区分決定部と、
前記評価区分決定部で決定された前記評価区分に対応した評価画面データを作成する画面データ作成部と、
前記画面データ作成部で作成された前記評価画面データを出力するデータ出力部と、
を備え、
前記端末装置は、前記データ出力部から出力された前記評価画面データを表示させるディスプレイを有している、
ことを特徴とする成分測定システム。
【請求項１１】
人体のバイタルサインを測定する測定部と、
前記測定部で過去に測定された所定数の測定値の平均値と標準偏差とを演算する演算部と、
前記平均値と前記標準偏差とに基づいて各々範囲が設定された複数の評価区分を含む評価データを作成する評価データ作成部と、
前記評価データを用いて前記測定部で測定された今回の測定値が属する範囲の前記評価区分を決定する評価区分決定部と、
前記評価区分決定部で決定された前記評価区分に対応した評価画面データを作成する画面データ作成部と、
前記画面データ作成部で作成された前記評価画面データをディスプレイに出力するデータ出力部と、
を備える、
ことを特徴とする医療機器。
【請求項１２】
ディスプレイを有するコンピュータを、
成分測定装置が測定した体液成分の測定値の平均値と標準偏差とを演算する演算手段、
前記平均値と前記標準偏差とに基づいて各々範囲が設定された複数の評価区分を含む評価データを作成する評価データ作成手段、
前記評価データを用いて前記成分測定装置で測定された今回の測定値が属する範囲の前記評価区分を決定する評価区分決定手段、
前記評価区分決定手段で決定された前記評価区分に対応した評価画面データを作成する画面データ作成手段、
前記画面データ作成手段で作成された前記評価画面データを前記ディスプレイに出力するデータ出力手段、
として機能させる、
ことを特徴とするプログラム。
【発明の詳細な説明】
【技術分野】
【０００１】
本発明は、体液成分の測定値又はバイタルサインの測定値の評価結果をユーザに知らせることができる成分測定装置、成分測定システム、医療機器及びプログラムに関する。
【背景技術】
【０００２】
糖尿病の患者は、血糖計を用いて日常的に血糖値を測定することにより血糖コントロールを行っている。この種の血糖計として、血糖測定値が正常範囲にあるか否かを示したグラフ等をディスプレイに表示させる技術的思想が提案されている（例えば、特許文献１参照）。
【先行技術文献】
【特許文献】
【０００３】
【特許文献１】特表２００８−５２４５９１号公報
【発明の概要】
【発明が解決しようとする課題】
【０００４】
ところで、上述した特許文献１のような血糖計において、例えば、日本糖尿病学会編「糖尿病治療ガイド２０１２−２０１３」に記載されている血糖コントロール指標（図２２参照）の「優・良」の血糖範囲を正常範囲として用いることが考えられる。
【０００５】
しかしながら、比較的高血糖の患者がこのような血糖計を使用すると、実際の血糖測定値が正常範囲から大きく乖離しているため、「不可」に対応する評価結果が頻繁にディスプレイに表示されることがある。このような表示はユーザにとってストレスになり易く、場合によっては、日常的な血糖測定が中断されることもあり得る。
【０００６】
本発明は、このような課題を考慮してなされたものであり、ユーザや容態に応じた適切な評価結果を知らせることができる成分測定装置、成分測定システム、医療機器及びプログラムを提供することを目的とする。
【課題を解決するための手段】
【０００７】
本発明に係る成分測定装置は、体液成分を測定する測定部と、前記測定部で過去に測定された所定数の測定値の平均値と標準偏差とを演算する演算部と、前記平均値と前記標準偏差とに基づいて各々範囲が設定された複数の評価区分を含む評価データを作成する評価データ作成部と、前記評価データを用いて前記測定部で測定された今回の測定値が属する範囲の前記評価区分を決定する評価区分決定部と、前記評価区分決定部で決定された前記評価区分に対応した評価画面データを作成する画面データ作成部と、前記画面データ作成部で作成された前記評価画面データをディスプレイに出力するデータ出力部と、を備える、ことを特徴とする。
【０００８】
本発明に係る成分測定装置によれば、過去の所定数の測定値の平均値と標準偏差とに基づいて各々範囲が設定された複数の評価区分を含む評価データを作成している。これにより、過去の所定数の測定値の平均値と標準偏差とを評価データに反映させることができる。そして、この評価データを用いて今回の測定値が属する範囲の評価区分を決定し、当該評価区分に対応した評価画面データをディスプレイに表示させることができるので、ユーザや容態に応じた適切な評価結果を知らせることができる。
【０００９】
上記の成分測定装置において、前記評価データ作成部は、最外に位置する前記評価区分と正常範囲を含む前記評価区分との間の前記評価区分に前記平均値が含まれるように前記評価データを作成してもよい。
【００１０】
このような構成によれば、最外に位置する評価区分に対応した評価画面データがディスプレイに過剰に表示されることを抑えることができる。これにより、ユーザへのストレスを緩和することができると共に、ユーザや容態に応じた適切な評価結果を知らせることができる。
【００１１】
上記の成分測定装置において、前記評価データ作成部は、前記測定部が前記体液成分を前記所定数測定するごとに前記評価データを更新してもよい。
【００１２】
このような構成によれば、定期的に評価データを更新するので、直近の所定数の測定値を評価データに反映させることができる。これにより、ユーザや容態に応じた一層適切な評価結果を知らせることができる。
【００１３】
上記の成分測定装置において、前記画面データ作成部は、前記評価区分決定部で決定された前記評価区分に対応する色の背景及び当該評価区分に対応する評価マークのうち少なくともいずれか一方を有する前記評価画面データを作成してもよい。
【００１４】
このような構成によれば、ユーザは、背景及び評価マークのうち少なくともいずれか一方に基づいて評価結果を容易に把握することができる。
【００１５】
上記の成分測定装置において、前記評価画面データには、前記測定部で測定された今回の前記測定値が含まれていてもよい。
【００１６】
このような構成によれば、測定部で測定された今回の測定値が評価画面データに含まれているので、今回の測定値とその評価結果を効率的に知らせることができる。
【００１７】
上記の成分測定装置において、少なくとも１つの前記評価区分の前記範囲の幅が所定の第１設定値よりも小さい場合に前記第１設定値が当該範囲の幅となるように前記評価データを補正し、少なくとも１つの前記評価区分の前記範囲の幅が所定の第２設定値よりも大きい場合に前記第２設定値が当該範囲の幅となるように前記評価データを補正する評価データ補正部を備えていてもよい。
【００１８】
このような構成によれば、評価区分の範囲の幅が第１設定値よりも小さい場合であっても、当該範囲の幅が前記第１設定値となるため、当該範囲の幅が過度に狭くなることを抑えることができる。また、評価区分の範囲の幅が第２設定値よりも大きい場合であっても、当該範囲の幅が前記第２設定値となるため、当該範囲の幅が過度に広くなることを抑えることができる。
【００１９】
上記の成分測定装置において、前記演算部は、前記測定部で初期に測定された複数の前記測定値の初期標準偏差を演算し、前記評価データ作成部は、初期設定データと前記初期標準偏差とに基づいて各々範囲が設定された複数の評価区分を含む初期評価データを作成し、前記評価区分決定部は、前記初期評価データに基づいて前記測定部で測定された今回の前記測定値が属する範囲の前記評価区分を決定してもよい。
【００２０】
このような構成によれば、測定部による体液成分の最初の測定から比較的短い期間で初期設定データに基づいて作成された評価画面データをディスプレイに表示させることができる。
【００２１】
上記の成分測定装置において、前記評価データ作成部は、前記初期評価データに換えて前記評価データを作成してもよい。
【００２２】
このような構成によれば、体液成分の測定初期では初期評価データに基づいて作成された評価画面データをディスプレイに表示し、初期評価データが作成されてからある程度の期間が経過したところで、評価データに基づいて作成された評価画面データのディスプレイへの表示に切り替えることができる。
【００２３】
上記の成分測定装置において、前記データ出力部から出力された前記評価画面データを表示させる前記ディスプレイをさらに備えていてもよい。
【００２４】
このような構成によれば、成分測定装置がディスプレイを備えているので、成分測定装置とは別にディスプレイを用意する必要なく、評価結果をユーザに知らせることができる。
【００２５】
本発明に係る成分測定システムは、体液成分を測定する測定部を有する成分測定装置と、前記成分測定装置と通信可能な端末装置と、前記測定部で過去に測定された所定数の測定値の平均値と標準偏差とを演算する演算部と、前記平均値と前記標準偏差とに基づいて各々範囲が設定された複数の評価区分を含む評価データを作成する評価データ作成部と、前記評価データを用いて前記測定部で測定された今回の測定値が属する範囲の前記評価区分を決定する評価区分決定部と、前記評価区分決定部で決定された前記評価区分に対応した評価画面データを作成する画面データ作成部と、前記画面データ作成部で作成された前記評価画面データを出力するデータ出力部と、を備え、前記端末装置は、前記データ出力部から出力された前記評価画面データを表示させるディスプレイを有している、ことを特徴とする。
【００２６】
本発明に係る医療機器は、人体のバイタルサインを測定する測定部と、前記測定部で過去に測定された所定数の測定値の平均値と標準偏差とを演算する演算部と、前記平均値と前記標準偏差とに基づいて各々範囲が設定された複数の評価区分を含む評価データを作成する評価データ作成部と、前記評価データを用いて前記測定部で測定された今回の測定値が属する範囲の前記評価区分を決定する評価区分決定部と、前記評価区分決定部で決定された前記評価区分に対応した評価画面データを作成する画面データ作成部と、前記画面データ作成部で作成された前記評価画面データをディスプレイに出力するデータ出力部と、を備える、ことを特徴とする。
【００２７】
本発明に係るプログラムは、ディスプレイを有するコンピュータを、成分測定装置が測定した体液成分の測定値の平均値と標準偏差とを演算する演算手段、前記平均値と前記標準偏差とに基づいて各々範囲が設定された複数の評価区分を含む評価データを作成する評価データ作成手段、前記評価データを用いて前記成分測定装置で測定された今回の測定値が属する範囲の前記評価区分を決定する評価区分決定手段、前記評価区分決定手段で決定された前記評価区分に対応した評価画面データを作成する画面データ作成手段、前記画面データ作成手段で作成された前記評価画面データを前記ディスプレイに出力するデータ出力手段、として機能させる、ことを特徴とする。
【発明の効果】
【００２８】
本発明によれば、過去の所定数の測定値の平均値と標準偏差とに基づいて作成された評価データを用いて今回の測定値が属する範囲の評価区分を決定し、当該評価区分に対応した評価画面データをディスプレイに表示させることができるので、ユーザや容態に応じた適切な評価結果を知らせることができる。
【図面の簡単な説明】
【００２９】
【図１】本発明の第１実施形態に係る血糖計の斜視図である。
【図２】図１に示す血糖計を基端側から見た側面図である。
【図３】図１に示すチップの縦断面図である。
【図４】前記血糖計の内部構成を示すブロック図である。
【図５】図４に示す記憶部の内部構成のブロック図である。
【図６】図４に示す制御部の内部構成を説明するためのブロック図である。
【図７】図７Ａは前記血糖計の空腹時初期評価データの説明図であり、図７Ｂは前記血糖計の食後初期評価データの説明図である。
【図８】図８Ａは前記血糖計の空腹時評価データの説明図であり、図８Ｂは前記血糖計の食後評価データの説明図である。
【図９】前記血糖計を用いた血糖測定を説明するためのフローチャートである。
【図１０】空腹時血糖測定制御を説明するための第１のフローチャートである。
【図１１】空腹時血糖測定制御を説明するための第２のフローチャートである。
【図１２】食後血糖測定制御を説明するための第１のフローチャートである。
【図１３】食後血糖測定制御を説明するための第２のフローチャートである。
【図１４】空腹時初期評価データ及び空腹時評価データの作成及び補正の具体例を示した説明図である。
【図１５】図１５Ａは第１評価区分に対応する評価画面データの説明図であり、図１５Ｂは第２評価区分に対応する評価画面データの説明図であり、図１５Ｃは第３評価区分に対応する評価画面データの説明図であり、図１５Ｄは第４評価区分に対応する評価画面データの説明図であり、図１５Ｅは第５評価区分に対応する評価画面データの説明図である。
【図１６】食後初期評価データ及び食後評価データの作成及び補正の具体例を示した説明図である。
【図１７】図１７Ａは第２実施形態に係る血糖計の空腹時初期評価データの説明図であり、図１７Ｂは当該血糖計の食後初期評価データの説明図である。
【図１８】図１８Ａは第２実施形態に係る血糖計の空腹時評価データの説明図であり、図１８Ｂは当該血糖計の食後評価データの説明図である。
【図１９】本発明の第１実施形態に係る成分測定システムの構成を示すブロック図である。
【図２０】本発明の第２実施形態に係る成分測定システムの構成を示すブロック図である。
【図２１】本発明の第３実施形態に係る成分測定システムの構成を示すブロック図である。
【図２２】日本糖尿病学会編「糖尿病治療ガイド２０１２−２０１３」に記載されている血糖コントロール指標を示した図である。
【発明を実施するための形態】
【００３０】
以下、本発明に係る成分測定装置、成分測定システム、医療機器及びプログラムの好適な実施形態を例示し、添付の図面を参照しながら詳細に説明する。なお、本明細書及び図面において、数値範囲を示す「〜」は、その前後に記載される数値の下限値を含み上限値を含まない意味として使用される。
【００３１】
［第１実施形態に係る血糖計１０Ａの構成］
図１に示すように、第１実施形態に係る血糖計（成分測定装置、医療機器）１０Ａには、先端に試験具としてチップ１２が装着される。血糖計１０Ａは、ユーザ（患者）自身が操作して血糖計測を行うパーソナルユースの用途として主に用いられるが、もちろん特段の改造をすることなく医療従事者が使用する医療施設内用途としても使用可能である。先ず、チップ１２について説明する。
【００３２】
図３に示すように、チップ１２は、有底筒状のベース筒１４と、ベース筒１４から半径方向に突出するフランジ１６と、ベース筒１４の底部から突出する錐状のノズル１８と、ベース筒１４の底部内面に設置された試験紙２０とを有する。
【００３３】
ベース筒１４には、複数のスリット２１が形成されている。ノズル１８の中心には、先端の点着部２２から試験紙２０に連通する直線状の血液導入路２４が設けられている。試験紙２０の材質としては、例えば、ポリエーテルスルホンが挙げられる。試験紙２０に含浸される試薬としては、例えば、グルコースオキシターゼ（ＧＯＤ）、ペルオキシターゼ（ＰＯＤ）、４−アミノアンチピリン、Ｎ−エチルＮ−（２−ヒドロキシ−３−スルホプロピル）等の発色剤が挙げられる。また、試薬には所定の緩衝剤が含まれていてもよい。血液導入路２４は、血液を毛管現象により吸い上げる程度に十分細径に設定されており、点着部２２に接触した血液を試験紙２０まで導入する。
【００３４】
このように構成されるチップ１２は、いわゆるディスポーザブル品であり個包装体としての図示しないケースに収容され、ケースの基端部はフィルムでシールされている。
【００３５】
続いて、血糖計１０Ａについて説明する。図１に示すように、血糖計１０Ａは、片手で把持し易いやや細長い形状であり、先端部は先端方向に向かって細くなると共にやや下側に屈曲して点着操作が容易な形状をなしている。血糖計１０Ａは、チップ１２が装着される先端装着部２６と、先端装着部２６の近傍上面に設けられてチップ１２を取り外すためのイジェクトレバー２８とを備える。
【００３６】
血糖計１０Ａの平面状に形成された上面には、中央に位置するディスプレイ３０と、基端側に位置する電源ボタン３２及び記憶呼出ボタン３４とが設けられている。ディスプレイ３０は、いわゆるフルドット液晶タイプであって、血糖測定値及びその評価結果、所定の入力操作確認、及びメンテナンス用コード等をカラー表示することができる。また、ディスプレイ３０は、タッチパネル機能を備えている。ディスプレイ３０による入力形式は、タッチパネル式以外にもマウス−カーソール式、タッチペン式、タッチパッド式等のポインティングデバイスが利用可能である。
【００３７】
電源ボタン３２は電源４２（図４参照）のオン・オフをする。記憶呼出ボタン３４は、過去に記憶された血糖測定値やその評価結果を呼び出す。なお、記憶呼出ボタン３４は、タッチパネル式のポインティングデバイスを用いることによりディスプレイ３０上の画像形式ボタンに置き換えてもよい。後述する時間設定ボタン３６及び食後ボタン３８についても同様である。
【００３８】
図２に示すように、血糖計１０Ａの基端側の側面には、時間設定ボタン３６及び食後ボタン３８が設けられている。食後ボタン３８は、食後の所定時間（例えば、２時間）内に測定をするときにユーザが食後であることを指示する入力部である。
【００３９】
図４に示すように、血糖計１０Ａは、制御部４０、電源４２、時計４４、カウンタ４６、測定部４８及び記憶部５０を内部に有する。制御部４０は、血糖計１０Ａの全体を統括的に制御している。制御部４０としては、例えば、マイクロコンピュータが用いられ、所定のプログラム５８（図５参照）を読み込み各機能部と協働しながらソフトウエア処理を実行する。制御部４０の詳細な構成については追って説明する。
【００４０】
電源４２には、例えば、ボタン電池が用いられ、電源ボタン３２の作用下に電力を制御部４０に供給する。時計４４は、時間設定ボタン３６の操作によって調整され、現在時刻を制御部４０に通知する。時計４４にはカレンダー機能が設けられていてもよい。時計４４の時間設定操作に関する詳細説明は省略する。カウンタ４６は、空腹時に測定された血糖測定値の測定回数（カウント値Ｎａ）と食後に測定された血糖値の測定回数（カウント値Ｎｂ）とを別々にカウントすると共に記憶する。
【００４１】
測定部４８は、光学式であって、試験紙２０（図３参照）にパルス状に光を出射する発光部５２と、呈色した試験紙２０で反射した光を受光する受光部５４と、受光部５４の受光信号をデジタル値に変換して制御部４０に供給するＡ／Ｄ変換器５６とを有する。なお、測定部４８は、このような光学式に限らず、例えば、アンペロメトリー等を利用した電極式であってもよい。
【００４２】
図５に示すように、記憶部５０は、プログラム５８、ワークメモリ６０、血糖測定値メモリ６２、初期設定データメモリ６４、測定値評価メモリ６６及びカウントメモリ６８を有する。プログラム５８は、制御部４０が読み込み実行するソフトウエアである。ワークメモリ６０は、プログラム５８を実行する際に所定のデータを都度記憶するために用いられる。
【００４３】
血糖測定値メモリ６２は、過去に測定部４８で測定された空腹時の血糖測定値を測定番号と一緒に記憶すると共に、過去に測定部４８で測定された食後の血糖測定値を測定番号と一緒に記憶する。
【００４４】
初期設定データメモリ６４は、空腹時初期設定データＡ０、Ａ１、Ａ２及び食後初期設定データＢ０、Ｂ１、Ｂ２を記憶する。空腹時初期設定データＡ０、Ａ１、Ａ２及び食後初期設定データＢ０、Ｂ１、Ｂ２は、例えば、ディスプレイ３０を介して入力することにより任意に設定可能である。
【００４５】
測定値評価メモリ６６は、空腹時初期評価データ１００ｅａ、食後初期評価データ１００ｅｂ、空腹時評価データ１００ｕａ及び食後評価データ１００ｕｂを記憶する。空腹時初期評価データ１００ｅａは、空腹時評価データ１００ｕａが作成されるまでの間（血糖測定の初期段階）に空腹時に測定された血糖測定値を評価するためのデータである。食後初期評価データ１００ｅｂは、食後評価データ１００ｕｂが作成されるまでの間（血糖測定の初期段階）に食後に測定された血糖測定値を評価するためのデータである。空腹時評価データ１００ｕａは、空腹時に測定された血糖測定値を評価するためのデータである。食後評価データ１００ｕｂは、食後に測定された血糖測定値を評価するためのデータである。
【００４６】
カウントメモリ６８は、カウンタ４６から供給される信号（情報）に基づいて空腹時に測定された血糖測定値の総測定回数（総カウント値Ｎｔａ）と食後に測定された血糖測定値の総測定回数（総カウント値Ｎｔｂ）とを別々に記憶する。
【００４７】
また、カウントメモリ６８は、初期判定カウント値Ｎ１及び判定カウント値Ｎ２を記憶する。初期判定カウント値Ｎ１は、初期評価データ（空腹時初期評価データ１００ｅａ及び食後初期評価データ１００ｅｂ）に反映させる血糖測定値のデータ数を意味し、任意に設定することができる。例えば、１日に６回（空腹時３回、食後３回）血糖値を測定する場合、初期判定カウント値Ｎ１を２１に設定すれば、１週間分の血糖測定値を初期評価データに反映させることができる。
【００４８】
判定カウント値Ｎ２は、評価データ（空腹時評価データ１００ｕａ及び食後評価データ１００ｕｂ）に反映させる血糖測定値のデータ数を意味し、任意に設定することができる。例えば、１日に６回（空腹時３回、食後３回）血糖値を測定する場合、判定カウント値Ｎ２を９０に設定すれば、３０日分の血糖測定値を評価データに反映させることができる。
【００４９】
図５では、煩雑になることを避けるために記憶部５０を１つにまとめて示しているが、プログラム５８はＲＯＭ（Read Only Memory）、ワークメモリ６０はＲＡＭ（Random Access Memory）、血糖測定値メモリ６２、初期設定データメモリ６４、測定値評価メモリ６６及びカウントメモリ６８は書き込み可能な不揮発性メモリ（例えば、フラッシュメモリ）にするとよい。
【００５０】
制御部４０には、ディスプレイ３０、記憶呼出ボタン３４、食後ボタン３８、電源４２、時計４４、カウンタ４６、記憶部５０、発光部５２及びＡ／Ｄ変換器５６が電気的に接続している（図４参照）。
【００５１】
図６に示すように、制御部４０は、血糖測定値演算部７０、判定部７２、リセット処理部７４、評価データ処理部７６及びデータ出力部（データ出力手段）７７を有する。血糖測定値演算部７０は、測定部４８の一部を構成し、Ａ／Ｄ変換器５６から供給される受光信号に基づいて血糖測定値を演算する。判定部７２は、測定部４８で測定された血糖測定値の測定回数（カウント値Ｎａ、Ｎｂ又は総カウント値Ｎｔａ、Ｎｔｂ）が所定数に達したか否かを判定する。リセット処理部７４は、判定部７２から供給される信号に基づいてカウンタ４６をリセットする。
【００５２】
評価データ処理部７６は、標準偏差演算部（標準偏差演算手段）７８、平均血糖測定値演算部（平均血糖測定値演算手段）８０、評価データ作成部（評価データ作成手段）８２、評価データ補正部８４、評価区分決定部（評価区分決定手段）８６及び画面データ作成部（画面データ作成手段）８８を有する。標準偏差演算部７８は、測定部４８で初期に測定された複数（Ｎ１個）の空腹時の血糖測定値の初期標準偏差ＳＤｅａと、測定部４８で初期に測定された複数（Ｎ１個）の食後の血糖測定値の初期標準偏差ＳＤｅｂとを演算する。
【００５３】
また、標準偏差演算部７８は、測定部４８で測定された所定数（Ｎ２個）の空腹時の血糖測定値の標準偏差ＳＤｕａと、測定部４８で測定された所定数（Ｎ２個）の食後の血糖測定値の標準偏差ＳＤｕｂとを演算する。
【００５４】
平均血糖測定値演算部８０は、測定部４８で過去に測定された所定数（Ｎ２個）の空腹時の血糖測定値の平均値（平均血糖測定値Ｘａ）と、測定部４８で過去に測定された所定数（Ｎ２個）の食後の血糖測定値の平均値（平均血糖測定値Ｘｂ）とを演算する。
【００５５】
評価データ作成部８２は、空腹時初期設定データＡ０、Ａ１、Ａ２と初期標準偏差ＳＤｅａとに基づいて各々血糖範囲が設定された複数（５つ）の評価区分を含む空腹時初期評価データ１００ｅａを作成する（図７Ａ参照）。
【００５６】
具体的には、空腹時初期評価データ１００ｅａの血糖範囲（ｍｇ／ｄＬ）は、第１評価区分が０以上８０未満、第２評価区分が８０以上（Ａ０−２ＳＤｅａ）未満、第３評価区分が（Ａ０−２ＳＤｅａ）以上（Ａ１−１ＳＤｅａ）未満、第４評価区分が（Ａ１−１ＳＤｅａ）以上（Ａ２＋１ＳＤｅａ）未満、第５評価区分が（Ａ２＋１ＳＤｅａ）以上に設定されている。なお、図７Ａでは、理解を容易にするために、空腹時初期評価データ１００ｅａを表形式で示しているが、これに限定されないことは言うまでもない。後述する食後初期評価データ１００ｅｂ、空腹時評価データ１００ｕａ及び食後評価データ１００ｕｂについても同様である。
【００５７】
空腹時初期評価データ１００ｅａにおいて、第１〜第５評価区分の各々には、ディスプレイ３０に表示させる評価結果（背景色及び評価マーク）が関連付けされている。すなわち、第１評価区分には青色及び第１顔マーク、第２評価区分には緑色及び第２顔マーク、第３評価区分には黄色及び第３顔マーク、第４評価区分には、ピンク色及び第４顔マーク、第５評価区分には赤色及び第５顔マークが関連付けされる。なお、ディスプレイ３０に表示させる評価結果は、背景色及び評価マークの少なくともいずれか一方でよい。背景色は、任意の色に設定可能であり、評価マーク（記号）は、顔マークに限らず他の絵や文字等で構成してもよい。
【００５８】
また、評価データ作成部８２は、食後初期設定データＢ０、Ｂ１、Ｂ２と初期標準偏差ＳＤｅｂとに基づいて各々血糖範囲が設定された複数（５つ）の評価区分を含む食後初期評価データ１００ｅｂを作成する（図７Ｂ参照）。食後初期評価データ１００ｅｂは空腹時初期評価データ１００ｅａと同様に作成される。
【００５９】
さらに、評価データ作成部８２は、平均血糖測定値Ｘａと標準偏差ＳＤｕａとに基づいて各々血糖範囲が設定された複数（５つ）の評価区分を含む空腹時評価データ１００ｕａを作成する（図８Ａ参照）。
【００６０】
具体的には、空腹時評価データ１００ｕａの血糖範囲（ｍｇ／ｄＬ）は、第１評価区分が０以上８０未満、第２評価区分が８０以上（Ｘａ−２ＳＤｕａ）未満、第３評価区分が（Ｘａ−２ＳＤｕａ）以上（Ｘａ−１ＳＤｕａ）未満、第４評価区分が（Ｘａ−１ＳＤｕａ）以上（Ｘａ＋１ＳＤｕａ）未満、第５評価区分は（Ｘａ＋１ＳＤｕａ）以上に設定されている。この場合、第４評価区分の血糖範囲の中間値が平均血糖測定値Ｘａとなる。
【００６１】
空腹時評価データ１００ｕａにおいて、第１〜第５評価区分の各々には、ディスプレイ３０に表示させる評価結果（背景色及び評価マーク）が関連付けされている。この評価結果は、上述した空腹時初期評価データ１００ｅａと同様である。
【００６２】
さらにまた、評価データ作成部８２は、平均血糖測定値Ｘｂと標準偏差ＳＤｕｂとに基づいて各々血糖範囲が設定された複数（５つ）の評価区分を含む食後評価データ１００ｕｂを作成する（図８Ｂ参照）。食後評価データ１００ｕｂは空腹時評価データ１００ｕａと同様に作成される。
【００６３】
評価データ補正部８４は、第２〜第４評価区分の各々において、血糖範囲の幅が所定の第１設定値よりも小さい場合にその第１設定値が当該血糖範囲の幅となるように評価データを補正する。また、評価データ補正部８４は、第２〜第４評価区分の各々において、血糖範囲の幅が所定の第２設定値よりも大きい場合にその第２設定値が当該血糖範囲の幅となるように評価データを補正する。
【００６４】
評価区分決定部８６は、初期評価データ又は評価データを用いて測定部４８で測定された今回の血糖測定値が属する血糖範囲の評価区分を決定する。
【００６５】
画面データ作成部８８は、評価区分決定部８６で決定された評価区分に対応した評価画面データを作成する。具体的には、画面データ作成部８８は、例えば、評価区分決定部８６で決定された評価区分に対応する色の背景、当該評価区分に対応する評価マーク、評価区分表示部、血糖測定の日時、血糖測定の曜日及び血糖測定値を含んだ評価画面データを作成する（図１５Ａ〜図１５Ｅ参照）。評価区分表示部は、「低」の文字、青色の丸印、緑色の丸印、黄色の丸印、ピンク色の丸印、赤色の丸印及び「高」の文字が、この順番で並べられ、今回の評価区分の背景に対応する色の丸印に目印が付されることにより構成されている。
【００６６】
データ出力部７７は、画面データ作成部８８で作成された評価画面データをディスプレイ３０に出力する。ディスプレイ３０は、データ出力部７７から出力された評価画面データを表示する。
【００６７】
本実施形態に係る血糖計１０Ａは、基本的には以上のように構成されるものであり、以下、その作用及び効果について説明する。
【００６８】
先ず、ユーザは、血糖準備を行う（図９のステップＳ１）。すなわち、図示しない穿刺装置によって、手指から微量の血液を流出させる。そして、電源ボタン３２を押すことによって血糖計１０Ａの電源４２を入れ、血糖計１０Ａの先端装着部２６にチップ１２を装着する。そして、ユーザは、食後の所定時間内であれば、食後ボタン３８を押す。
【００６９】
また、制御部４０は、食後ボタン３８が押されたか否かを判定する（ステップＳ２）。制御部４０は、食後ボタン３８が押されていないと判定した場合（ステップＳ２：ＮＯ）、食後フラグをデフォルトの「０」とする（ステップＳ３）。一方、制御部４０は、食後ボタン３８が押されていると判定した場合（ステップＳ２：ＹＥＳ）、食後フラグを「１」にセットする（ステップＳ４）。
【００７０】
その後、血糖値を測定する（ステップＳ５）。具体的には、ユーザは、チップ１２の点着部２２を血液に点着させる。そうすると、点着部２２に点着した血液が血液導入路２４を通り試験紙２０に導かれて試験紙２０が呈色する。そして、発光部５２から出射されて試験紙２０で反射された光を受光した受光部５４の受光信号がＡ／Ｄ変換器５６でデジタル値に変換されて血糖測定値演算部７０に供給される。続いて、血糖測定値演算部７０は、Ａ／Ｄ変換器５６から供給された受光信号に基づいて血糖測定値を演算する。
【００７１】
次に、制御部４０は、食後フラグを参照し（ステップＳ６）、「０」であれば空腹時血糖測定制御を行い（ステップＳ７）、「１」であれば食後血糖測定制御を行う（ステップＳ８）。
【００７２】
空腹時血糖測定制御では、図１０及び図１１に示すフローチャートの処理を行う。すなわち、先ず、判定部７２は、空腹時の総カウント値Ｎｔａが初期判定カウント値Ｎ１以上であるか否かを判定する（図１０のステップＳ１０）。ここで、総カウント値Ｎｔａ及び初期判定カウント値Ｎ１はカウントメモリ６８を参照して取得される。
【００７３】
総カウント値Ｎｔａが初期判定カウント値Ｎ１よりも小さいと判定部７２が判定した場合（ステップＳ１０：ＮＯ）、データ出力部７７は、血糖測定値をディスプレイ３０に出力する。これにより、当該血糖測定値がディスプレイ３０に表示される（ステップＳ１１）。従って、ユーザは、最初の血糖測定から自己の血糖測定値を知ることができる。次いで、カウンタ４６がカウント値Ｎａを１つ加算し（ステップＳ１２）、制御部４０がカウントメモリ６８の総カウント値Ｎｔａを１つ増加する（ステップＳ１３）。この時点で、今回の血糖測定のフローチャートが終了する。
【００７４】
総カウント値Ｎｔａが初期判定カウント値Ｎ１以上であると判定部７２が判定した場合（ステップＳ１０：ＹＥＳ）、判定部７２は、総カウント値Ｎｔａが初期判定カウント値Ｎ１と等しいか否かを判定する（ステップＳ１４）。
【００７５】
総カウント値Ｎｔａが初期判定カウント値Ｎ１と等しいと判定部７２が判定した場合（ステップＳ１４：ＹＥＳ）、標準偏差演算部７８は、初期標準偏差ＳＤｅａを演算する（ステップＳ１５）。すなわち、標準偏差演算部７８は、初期（最初の血糖測定から前回まで）の複数（Ｎ１個）の血糖測定値の初期標準偏差ＳＤｅａを演算する。
【００７６】
次いで、評価データ作成部８２は、空腹時初期設定データＡ０、Ａ１、Ａ２と演算された初期標準偏差ＳＤｅａとに基づいて空腹時初期評価データ１００ｅａを作成する（ステップＳ１６）。ここで、空腹時初期設定データＡ０、Ａ１、Ａ２は、初期設定データメモリ６４から参照して取得される。このステップＳ１６では、例えば、図１４に示す空腹時初期評価データ１０２（１００ｅａ）が作成される。
【００７７】
この空腹時初期評価データ１０２は、図７Ａに示す空腹時初期評価データ１００ｅａにＡ０＝１１０、Ａ１＝１３０、Ａ２＝１６０、ＳＤｅａ＝５を代入することにより作成される。なお、空腹時初期設定データＡ０、Ａ１、Ａ２は、日本糖尿病学会編「糖尿病治療ガイド２０１２−２０１３」に記載されている血糖コントロール指標の値を用いている（図２２参照）。この場合、空腹時初期評価データ１０２の血糖範囲（ｍｇ／ｄＬ）は、第１評価区分で０以上８０未満、第２評価区分で８０以上１００未満、第３評価区分で１００以上１２５未満、第４評価区分で１２５以上１６５未満、第５評価区分で１６５以上となる。
【００７８】
続いて、制御部４０は、ステップＳ１６で作成された空腹時初期評価データ１０２を測定値評価メモリ６６に記憶する（ステップＳ１７）。また、評価区分決定部８６は、空腹時初期評価データ１０２を用いて今回の血糖測定値が属する血糖範囲の評価区分を決定する（ステップＳ１８）。
【００７９】
そして、画面データ作成部８８は、評価区分決定部８６が決定した評価区分に対応した評価画面データを作成する（ステップＳ１９）。具体的には、例えば、今回の血糖測定値が７５ｍｇ／ｄＬであった場合には、画面データ作成部８８は、第１評価区分に対応する青色の背景、第１顔マーク及び当該血糖測定値を有する評価画面データを作成する（図１５Ａ参照）。
【００８０】
例えば、今回の血糖測定値が９０ｍｇ／ｄＬであった場合には、画面データ作成部８８は、第２評価区分に対応する緑色の背景、第２顔マーク及び当該血糖測定値を有する評価画面データを作成する（図１５Ｂ参照）。
【００８１】
例えば、今回の血糖測定値が１１２ｍｇ／ｄＬであった場合には、画面データ作成部８８は、第３評価区分に対応する黄色の背景、第３顔マーク及び当該血糖測定値を有する評価画面データを作成する（図１５Ｃ参照）。
【００８２】
例えば、今回の血糖測定値が１４５ｍｇ／ｄＬであった場合には、画面データ作成部８８は、第４評価区分に対応するピンク色の背景、第４顔マーク及び当該血糖測定値を有する評価画面データを作成する（図１５Ｄ参照）。
【００８３】
例えば、今回の血糖測定値が１７０ｍｇ／ｄＬであった場合には、画面データ作成部８８は、第５評価区分に対応する赤色の背景、第５顔マーク及び当該血糖測定値を有する評価画面データを作成する（図１５Ｅ参照）。
【００８４】
その後、データ出力部７７は、作成された評価画面データをディスプレイ３０に出力する。これにより、当該評価画面データがディスプレイ３０に表示される（ステップＳ２０）。この場合、最初の血糖測定から比較的短い期間で空腹時の血糖測定値の評価結果をディスプレイ３０に表示させることができる。続いて、上述したステップＳ１２及びステップＳ１３の処理を行い、今回の血糖測定のフローチャートが終了する。
【００８５】
ところで、上述したステップＳ１４において、総カウント値Ｎｔａが初期判定カウント値Ｎ１よりも大きいと判定部７２が判定した場合、判定部７２は、総カウント値Ｎｔａが加算カウント値（初期判定カウント値Ｎ１に判定カウント値Ｎ２を加算したカウント値）よりも小さいか否かを判定する（図１１のステップＳ３０）。ここで、判定カウント値Ｎ２はカウントメモリ６８を参照して取得される。
【００８６】
総カウント値Ｎｔａが加算カウント値（Ｎ１＋Ｎ２）よりも小さいと判定部７２が判定した場合（ステップＳ３０：ＹＥＳ）、評価区分決定部８６は、測定値評価メモリ６６に記憶されている空腹時初期評価データ１００ｅａを用いて今回の血糖測定値が属する血糖範囲の評価区分を決定する（ステップＳ３１）。そして、図１０のステップＳ１９以降の処理を行い、今回の血糖測定のフローチャートが終了する。
【００８７】
一方、総カウント値Ｎｔａが加算カウント値（Ｎ１＋Ｎ２）以上であると判定部７２が判定した場合（ステップＳ３０：ＮＯ）、判定部７２は、総カウント値Ｎｔａが加算カウント値（Ｎ１＋Ｎ２）と等しいか否かを判定する（ステップＳ３２）。
【００８８】
総カウント値Ｎｔａが加算カウント値（Ｎ１＋Ｎ２）と等しいと判定部７２が判定した場合（ステップＳ３２：ＹＥＳ）、標準偏差演算部７８は、過去のＮ２個の血糖測定値の標準偏差ＳＤｕａを演算する（ステップＳ３３）。また、平均血糖測定値演算部８０は、過去のＮ２個の血糖測定値の平均値（平均血糖測定値Ｘａ）を演算する（ステップＳ３４）。
【００８９】
次いで、評価データ作成部８２は、標準偏差ＳＤｕａと平均血糖測定値Ｘａとに基づいて空腹時評価データ１００ｕａを作成する（ステップＳ３５）。そして、評価データ補正部８４は、作成された空腹時評価データ１００ｕａの第２〜第４評価区分の各々において、血糖範囲の幅が所定の第１空腹時設定値（１０ｍｇ／ｄＬ）よりも小さい場合及び血糖範囲の幅が所定の第２空腹時設定値（８０ｍｇ／ｄＬ）よりも大きい場合に当該空腹時評価データ１００ｕａを補正する（ステップＳ３６）。
【００９０】
具体的には、評価データ作成部８２は、図８Ａの空腹時評価データ１００ｕａに演算された平均血糖測定値Ｘａと標準偏差ＳＤｕａとを代入することにより図１４に示すような空腹時評価データ１００ｕａを作成する。
【００９１】
すなわち、例えば、Ｘａ＝１４５ｍｇ／ｄＬ、ＳＤｕａ＝３０であった場合、空腹時評価データ１０４（１００ｕａ）の血糖範囲（ｍｇ／ｄＬ）は、第１評価区分で０以上８０未満、第２評価区分で８０以上８５未満、第３評価区分で８５以上１１５未満、第４評価区分で１１５以上１７５未満、第５評価区分で１７５以上となる。
【００９２】
そして、この場合、第２評価区分の血糖範囲の幅が１０ｍｇ／ｄＬよりも小さいため、評価データ補正部８４は、第２評価区分の血糖範囲の幅が１０ｍｇ／ｄＬとなるように、第２評価区分の上限値を８５ｍｇ／ｄＬから９０ｍｇ／ｄＬに補正する。また、この補正に伴って、評価データ補正部８４は、第３評価区分の下限値を８５ｍｇ／ｄＬから９０ｍｇ／ｄＬに補正する。これにより、空腹時評価データ１０４が空腹時評価データ１０６に補正される。このような補正を行うことによって、第２評価区分の血糖範囲の幅が過度に小さくなることを抑制することができる。
【００９３】
また、例えば、Ｘａ＝１６０ｍｇ／ｄＬ、ＳＤｕａ＝１８であった場合、空腹時評価データ１０８（１００ｕａ）の血糖範囲（ｍｇ／ｄＬ）は、第１評価区分で０以上８０未満、第２評価区分で８０以上１２４未満、第３評価区分で１２４以上１４２未満、第４評価区分で１４２以上１７８未満、第５評価区分で１７８以上となる。そして、この場合、第２〜第４評価区分の各々において、血糖範囲の幅が第１空腹時設定値（１０ｍｇ／ｄＬ）以上且つ第２空腹時設定値（８０ｍｇ／ｄＬ）以下であるため、評価データ補正部８４は、補正を行わない。
【００９４】
さらにまた、例えば、Ｘａ＝１９０ｍｇ／ｄＬ、ＳＤｕａ＝１０であった場合、空腹時評価データ１１０（１００ｕａ）の血糖範囲（ｍｇ／ｄＬ）は、第１評価区分で０以上８０未満、第２評価区分で８０以上１７０未満、第３評価区分で１７０以上１８０未満、第４評価区分で１８０以上２００未満、第５評価区分で２００以上となる。
【００９５】
そして、この場合、第２評価区分の血糖範囲の幅が８０ｍｇ／ｄＬよりも大きいため、評価データ補正部８４は、第２評価区分の血糖範囲の幅が８０ｍｇ／ｄＬとなるように、第２評価区分の上限値を１７０ｍｇ／ｄＬから１６０ｍｇ／ｄＬに補正する。また、この補正に伴って、評価データ補正部８４は、第３評価区分の下限値を１７０ｍｇ／ｄＬから１６０ｍｇ／ｄＬに補正する。これにより、空腹時評価データ１１０が空腹時評価データ１１２に補正される。このような補正を行うことによって、第２評価区分の血糖範囲の幅が過度に大きくなることを抑制することができる。
【００９６】
その後、制御部４０は、作成（補正）された空腹時評価データ１００ｕａを空腹時初期評価データ１００ｅａに換えて測定値評価メモリ６６に記憶する（ステップＳ３７）。また、評価区分決定部８６は、空腹時評価データ１００ｕａを用いて今回の血糖測定値が属する血糖範囲の評価区分を決定する（ステップＳ３８）。
【００９７】
そして、画面データ作成部８８は、評価区分決定部８６が決定した評価区分に対応した評価画面データを作成する（ステップＳ３９）。このステップＳ３９の処理は、基本的に上述したステップＳ１９の処理と同様であるため、詳細な説明を省略する。
【００９８】
その後、データ出力部７７は、作成された評価画面データをディスプレイ３０に出力する。これにより、当該評価画面データがディスプレイ３０に表示される（ステップＳ４０）。よって、ユーザや容態に応じた適切な空腹時の評価結果をユーザに知らせることができる。
【００９９】
続いて、制御部４０がカウントメモリ６８の総カウント値Ｎｔａを１つ増加する（ステップＳ４１）と共に、リセット処理部７４がカウンタ４６をリセットする（ステップＳ４２）。この時点で、今回の血糖測定のフローチャートが終了する。
【０１００】
ところで、上述したステップＳ３２において、総カウント値Ｎｔａが加算カウント値（Ｎ１＋Ｎ２）よりも大きいと判定部７２が判定した場合、判定部７２は、カウンタ４６のカウント値Ｎａが判定カウント値Ｎ２に達したか否かを判定する（ステップＳ４３）。
【０１０１】
カウント値Ｎａが判定カウント値Ｎ２に達していないと判定部７２が判定した場合（ステップＳ４３：ＮＯ）、評価区分決定部８６は、測定値評価メモリ６６に記憶されている空腹時評価データ１００ｕａを用いて今回の血糖測定値が属する評価区分を決定する（ステップＳ４４）。そして、画面データ作成部８８が決定された評価区分に対応した評価画面データを作成し（ステップＳ４５）、データ出力部７７が評価画面データをディスプレイ３０に出力する。これにより、当該評価画面データがディスプレイ３０に表示される（ステップＳ４６）。ステップＳ４６の処理の後、上述した図１０のステップＳ１２及びステップＳ１３の処理を行い、今回の血糖測定のフローチャートが終了する。
【０１０２】
一方、ステップＳ４３において、カウント値Ｎａが判定カウント値Ｎ２に達したと判定部７２が判定した場合、ステップＳ３３以降の処理が行われ、今回のフローチャートが終了する。これにより、所定数（Ｎ２個）の空腹時の血糖測定値が測定されるごとに、空腹時評価データ１００ｕａが更新される。すなわち、直近の所定数の空腹時の血糖測定値が空腹時評価データ１００ｕａに反映されることになるため、ユーザや容態に応じた一層適切な空腹時の評価結果をユーザに知らせることができる。
【０１０３】
次に、食後血糖測定制御（図９のステップＳ８の処理）について、図１２及び図１３を参照しながら説明する。この食後血糖測定制御では、基本的に、上述した空腹時血糖測定制御と同様の処理が行われる。
【０１０４】
すなわち、判定部７２は、食後の総カウント値Ｎｔｂが初期判定カウント値Ｎ１以上であるか否かを判定する（図１２のステップＳ５０）。総カウント値Ｎｔｂが初期判定カウント値Ｎ１よりも小さいと判定部７２が判定した場合（ステップＳ５０：ＮＯ）、ステップＳ５１〜ステップＳ５３の処理を行い、今回の血糖測定のフローチャートが終了する。このステップＳ５１〜ステップＳ５３の処理は、上述したステップＳ１１〜ステップＳ１３の処理と同様である。
【０１０５】
一方、総カウント値Ｎｔｂが初期判定カウント値Ｎ１以上であると判定部７２が判定した場合（ステップＳ５０：ＹＥＳ）、判定部７２は、総カウント値Ｎｔｂが初期判定カウント値Ｎ１と等しいか否かを判定する（ステップＳ５４）。
【０１０６】
総カウント値Ｎｔｂが初期判定カウント値Ｎ１と等しいと判定部７２が判定した場合（ステップＳ５４：ＹＥＳ）、標準偏差演算部７８が初期標準偏差ＳＤｅｂを演算し（ステップＳ５５）、評価データ作成部８２が、食後初期設定データＢ０、Ｂ１、Ｂ２と演算された初期標準偏差ＳＤｅｂとに基づいて食後初期評価データ１００ｅｂを作成する（ステップＳ５６）。
【０１０７】
このステップＳ５６では、例えば、図１６に示す食後初期評価データ１１４（１００ｅｂ）が作成される。この食後初期評価データ１１４は、図７Ｂに示す食後初期評価データ１００ｅｂにＢ０＝１４０、Ｂ１＝１８０、Ｂ２＝２２０、ＳＤｅｂ＝１０を代入することにより作成される。なお、食後初期設定データＢ０、Ｂ１、Ｂ２は、日本糖尿病学会編「糖尿病治療ガイド２０１２−２０１３」に記載されている血糖コントロール指標の値を用いている（図２２参照）。この場合、食後初期評価データ１１４の血糖範囲（ｍｇ／ｄＬ）は、第１評価区分で０以上８０未満、第２評価区分で８０以上１２０未満、第３評価区分で１２０以上１７０未満、第４評価区分で１７０以上２３０未満、第５評価区分で２３０以上となる。
【０１０８】
続いて、制御部４０は、ステップＳ５６で作成された食後初期評価データ１１４を測定値評価メモリ６６に記憶し（ステップＳ５７）、評価区分決定部８６は、食後初期評価データ１１４を用いて今回の血糖測定値が属する血糖範囲の評価区分を決定する（ステップＳ５８）。そして、画面データ作成部８８が決定された評価区分に対応した評価画面データを作成し（ステップＳ５９）、データ出力部７７が評価画面データをディスプレイ３０に出力する。これにより、当該評価画面データがディスプレイ３０に表示される（ステップＳ６０）。よって、最初の血糖測定から比較的短い期間で食後の血糖測定値の評価結果をディスプレイ３０に表示させることができる。その後、ステップＳ５２及びステップＳ５３の処理を行い、今回の血糖測定のフローチャートが終了する。
【０１０９】
ところで、上述したステップＳ５４において、総カウント値Ｎｔｂが初期判定カウント値Ｎ１よりも大きいと判定部７２が判定した場合、判定部７２は、総カウント値Ｎｔｂが加算カウント値（初期判定カウント値Ｎ１に判定カウント値Ｎ２を加算したカウント値）よりも小さいか否かを判定する（図１３のステップＳ７０）。
【０１１０】
総カウント値Ｎｔｂが加算カウント値（Ｎ１＋Ｎ２）よりも小さいと判定部７２が判定した場合（ステップＳ７０：ＹＥＳ）、評価区分決定部８６が測定値評価メモリ６６に記憶されている食後初期評価データ１００ｅｂを用いて今回の血糖測定値が属する評価区分を決定した（ステップＳ７１）後、図１２のステップＳ５９以降の処理を行い、今回のフローチャートが終了する。
【０１１１】
一方、総カウント値Ｎｔｂが加算カウント値（Ｎ１＋Ｎ２）以上であると判定部７２が判定した場合（ステップＳ７０：ＮＯ）、判定部７２は、総カウント値Ｎｔｂが加算カウント値（Ｎ１＋Ｎ２）と等しいか否かを判定する（ステップＳ７２）。
【０１１２】
総カウント値Ｎｔｂが加算カウント値（Ｎ１＋Ｎ２）と等しいと判定部７２が判定した場合（ステップＳ７２：ＹＥＳ）、標準偏差演算部７８が所定数（Ｎ２個）の過去の血糖測定値の標準偏差ＳＤｕｂを演算し（ステップＳ７３）、平均血糖測定値演算部８０が所定数（Ｎ２個）の過去の血糖測定値の平均値（平均血糖測定値Ｘｂ）を演算する（ステップＳ７４）。
【０１１３】
次いで、評価データ作成部８２は、標準偏差ＳＤｕｂと平均血糖測定値Ｘｂとに基づいて食後評価データ１００ｕｂを作成する（ステップＳ７５）。そして、評価データ補正部８４は、作成された食後評価データ１００ｕｂの第２〜第４評価区分の各々において、血糖範囲の幅が所定の第１食後設定値（２０ｍｇ／ｄＬ）よりも小さい場合及び血糖範囲の幅が所定の第２食後設定値（１４０ｍｇ／ｄＬ）よりも大きい場合に当該食後評価データ１００ｕｂを補正する（ステップＳ７６）。
【０１１４】
具体的には、評価データ作成部８２は、図８Ｂの食後評価データ１００ｕｂに演算された平均血糖測定値Ｘｂと標準偏差ＳＤｕｂとを代入することにより図１６に示すような食後評価データ１００ｕｂを作成する。
【０１１５】
すなわち、例えば、Ｘｂ＝１８０ｍｇ／ｄＬ、ＳＤｕｂ＝１５であった場合、食後評価データ１１６（１００ｕｂ）の血糖範囲（ｍｇ／ｄＬ）は、第１評価区分で０以上８０未満、第２評価区分で８０以上１５０未満、第３評価区分で１５０以上１６５未満、第４評価区分で１６５以上１９５未満、第５評価区分で１９５以上となる。
【０１１６】
そして、この場合、第３評価区分の血糖範囲の幅が２０ｍｇ／ｄＬよりも小さいため、評価データ補正部８４は、第３評価区分の血糖範囲の幅が２０ｍｇ／ｄＬとなるように、第３評価区分の上限値を１６５ｍｇ／ｄＬから１７０ｍｇ／ｄＬに補正する。また、この補正に伴って、評価データ補正部８４は、第４評価区分の下限値を１６５ｍｇ／ｄＬから１７０ｍｇ／ｄＬに補正する。これにより、食後評価データ１１６が食後評価データ１１８に補正される。このような補正を行うことによって、第３評価区分の血糖範囲の幅が過度に小さくなることを抑制することができる。
【０１１７】
また、例えば、Ｘｂ＝２２０ｍｇ／ｄＬ、ＳＤｕｂ＝３９であった場合、食後評価データ１２０（１００ｕｂ）の血糖範囲（ｍｇ／ｄＬ）は、第１評価区分で０以上８０未満、第２評価区分で８０以上１４２未満、第３評価区分で１４２以上１８１未満、第４評価区分で１８１以上２５９未満、第５評価区分で２５９以上となる。そして、この場合、第２〜第４評価区分の各々において、血糖範囲の幅が第１食後設定値（２０ｍｇ／ｄＬ）以上且つ第２食後設定値（１４０ｍｇ／ｄＬ）以下であるため、評価データ補正部８４は、補正を行わない。
【０１１８】
さらにまた、例えば、Ｘｂ＝３００ｍｇ／ｄＬ、ＳＤｕｂ＝２５であった場合、食後評価データ１２２（１００ｕｂ）の血糖範囲（ｍｇ／ｄＬ）は、第１評価区分で０以上８０未満、第２評価区分で８０以上２５０未満、第３評価区分で２５０以上２７５未満、第４評価区分で２７５以上３２５未満、第５評価区分で３２５以上となる。
【０１１９】
そして、この場合、第２評価区分の血糖範囲の幅が１４０ｍｇ／ｄＬよりも大きいため、評価データ補正部８４は、第２評価区分の血糖範囲の幅が１４０ｍｇ／ｄＬとなるように、第２評価区分の上限値を２５０ｍｇ／ｄＬから２２０ｍｇ／ｄＬに補正する。また、この補正に伴って、評価データ補正部８４は、第３評価区分の下限値を２５０ｍｇ／ｄＬから２２０ｍｇ／ｄＬに補正する。これにより、食後評価データ１２２が食後評価データ１２４に補正される。このような補正を行うことによって、第２評価区分の血糖範囲の幅が過度に大きくなることを抑制することができる。
【０１２０】
その後、制御部４０が作成（補正）された食後評価データ１００ｕｂを食後初期評価データ１００ｅｂに換えて測定値評価メモリ６６に記憶し（ステップＳ７７）、評価区分決定部８６が食後評価データ１００ｕｂを用いて今回の血糖測定値が属する血糖範囲の評価区分を決定する（ステップＳ７８）。そして、画面データ作成部８８が、評価区分決定部８６が決定した評価区分に対応した評価画面データを作成し（ステップＳ７９）、データ出力部７７が作成された評価画面データをディスプレイ３０に出力する。これにより、当該評価画面データがディスプレイ３０に表示される（ステップＳ８０）。これにより、ユーザや容態に応じた適切な食後の評価結果をユーザに知らせることができる。
【０１２１】
続いて、カウントメモリ６８が総カウント値Ｎｔｂを１つ増加する（ステップＳ８１）と共に、リセット処理部７４がカウンタ４６をリセットし（ステップＳ８２）、今回の血糖測定のフローチャートが終了する。
【０１２２】
ところで、上述したステップＳ７２において、総カウント値Ｎｔｂが加算カウント値（Ｎ１＋Ｎ２）よりも大きいと判定部７２が判定した場合、判定部７２は、カウンタ４６のカウント値Ｎｂが判定カウント値Ｎ２に達したか否かを判定する（ステップＳ８３）。
【０１２３】
カウント値Ｎｂが判定カウント値Ｎ２に達していないと判定部７２が判定した場合（ステップＳ８３：ＮＯ）、評価区分決定部８６は、測定値評価メモリ６６に記憶されている食後評価データ１００ｕｂを用いて今回の血糖測定値が属する評価区分を決定する（ステップＳ８４）。そして、画面データ作成部８８が決定された評価区分に対応する評価画面データを作成し（ステップＳ８５）、データ出力部７７が評価画面データをディスプレイ３０に出力する。これにより、当該評価画面データがディスプレイ３０に表示される（ステップＳ８６）。その後、上述したステップＳ５２及びステップＳ５３の処理を行い、今回の血糖測定のフローチャートが終了する。
【０１２４】
一方、ステップＳ８３において、カウント値Ｎｂが判定カウント値Ｎ２に達したと判定部７２が判定した場合、ステップＳ７３以降の処理が行われ、今回のフローチャートが終了する。これにより、所定数（Ｎ２個）の食後の血糖測定値が測定されるごとに、食後評価データ１００ｕｂが更新される。すなわち、直近の所定数の食後の血糖測定値が食後評価データ１００ｕｂに反映されることになるため、ユーザや容態に応じた一層適切な食後の評価結果をユーザに知らせることができる。
【０１２５】
以上説明したように、本実施形態によれば、過去の所定数（Ｎ２個）の空腹時の平均血糖測定値Ｘａと標準偏差ＳＤｕａとに基づいて各々範囲が設定された複数の評価区分を含む空腹時評価データ１００ｕａを作成している。これにより、平均血糖測定値Ｘａと標準偏差ＳＤｕａとを空腹時評価データ１００ｕａに反映させることができる。そして、この空腹時評価データ１００ｕａを用いて今回の血糖測定値が属する範囲の評価区分を決定し、当該評価区分に対応した評価画面データをディスプレイ３０に表示している。よって、ユーザや容態に応じた適切な空腹時の評価結果をユーザに知らせることができる。
【０１２６】
また、評価データ作成部８２は、最外に位置する第５評価区分と正常血糖範囲を含む第２評価区分との間の第４評価区分に平均血糖測定値Ｘａが含まれるように空腹時評価データ１００ｕａを作成している。そのため、第５評価区分に対応した評価画面データがディスプレイ３０に過剰に表示されることを抑えることができる。これにより、ユーザへのストレスを緩和することができると共に、ユーザや容態に応じた適切な空腹時の評価結果を知らせることができる。よって、ユーザの血糖測定の継続率の向上につながる。
【０１２７】
本実施形態によれば、空腹時の血糖測定値の数が所定数に達したと判定部７２で判定されるごとに空腹時評価データ１００ｕａを更新しているので、直近の所定数の血糖測定値を空腹時評価データ１００ｕａに反映させることができる。これにより、ユーザや容態に応じた一層適切な空腹時の評価結果をユーザに知らせることができる。
【０１２８】
本実施形態では、画面データ作成部８８が、評価区分決定部８６で決定された評価区分に対応する色の背景及び当該評価区分に対応する評価マークを有する評価画面データを作成している。そのため、ユーザは、背景及び評価マークに基づいて評価結果を容易に把握することができる。また、前記評価画面データには、今回の血糖測定値が含まれているので、今回の測定値とその評価結果を効率的にユーザに知らせることができる。
【０１２９】
本実施形態によれば、空腹時評価データ１００ｕａにおける第２〜第４評価区分の各々の血糖範囲の幅が所定の第１空腹時設定値（１０ｍｇ／ｄＬ）よりも小さい場合に第１空腹時設定値が当該血糖範囲の幅となるように空腹時評価データ１００ｕａを補正している。これにより、第２〜第４評価区分の各々の血糖範囲の幅が過度に狭くなることを抑えることができる。
【０１３０】
また、空腹時評価データ１００ｕａにおける第２〜第４評価区分の各々の血糖範囲の幅が所定の第２空腹時設定値（８０ｍｇ／ｄＬ）よりも大きい場合に第２空腹時設定値が当該血糖範囲の幅となるように空腹時評価データ１００ｕａを補正している。これにより、第２〜第４評価区分の各々の血糖範囲の幅が過度に広くなることを抑えることができる。
【０１３１】
本実施形態では、評価データ作成部８２が初期の複数の血糖測定値の初期標準偏差ＳＤｅａと空腹時初期設定データＡ０、Ａ１、Ａ２とに基づいて空腹時初期評価データ１００ｅａを作成し、評価区分決定部８６が空腹時初期評価データ１００ｅａを用いて今回の血糖測定値が属する血糖範囲の評価区分を決定している。そのため、最初の血糖測定から比較的短い期間で空腹時初期設定データＡ０、Ａ１、Ａ２に基づいて作成された評価画面データをディスプレイ３０に表示させることができる。このとき、空腹時初期設定データＡ０、Ａ１、Ａ２を日本糖尿病学会編「糖尿病治療ガイド２０１２−２０１３」に記載されている血糖コントロール指標の値を用いているので、血糖測定の初期において、当該指標に基づいた評価結果をユーザに知らせることができる。
【０１３２】
また、本実施形態では、空腹時初期評価データ１００ｅａに換えて空腹時評価データ１００ｕａを作成するようにしている。そのため、初期の血糖測定では空腹時初期評価データ１００ｅａに基づいて作成された評価画面データをディスプレイ３０に表示し、空腹時初期評価データ１００ｅａが作成されてからある程度の期間が経過したところで、空腹時評価データ１００ｕａに基づいて作成された評価画面データのディスプレイ３０への表示に切り替えることができる。
【０１３３】
さらに、本実施形態では、血糖計１０Ａがディスプレイ３０を備えているので、血糖計１０Ａとは別にディスプレイを用意する必要なく、評価結果をユーザに知らせることができる。
【０１３４】
このような上記効果は、食後の血糖測定においても同様に奏する。
【０１３５】
［第２実施形態に係る血糖計１０Ｂの構成］
次に、本発明の第２実施形態に係る血糖計１０Ｂについて説明する。なお、第２実施形態に係る血糖計１０Ｂにおいて、第１実施形態に係る血糖計１０Ａと同一又は同様な機能及び効果を奏する要素には同一の参照符号を付し、詳細な説明を省略する。
【０１３６】
本実施形態の血糖計１０Ｂにおいて、初期設定データメモリ６４は、空腹時初期設定データＣ及び食後初期設定データＤを記憶する。空腹時初期設定データＣとしてはユーザの空腹時の血糖目標値が用いられ、食後初期設定データＤとしてはユーザの食後の血糖目標値が用いられる。これら血糖目標値は、例えば、医者等がユーザ（患者）の現在の血糖測定値に基づいて指定する値を用いることができる。空腹時初期設定データＣ及び食後初期設定データＤは、例えば、ディスプレイ３０を介して入力することにより任意に設定可能である。
【０１３７】
評価データ作成部８２は、空腹時初期設定データＣと初期標準偏差ＳＤｅａとに基づいて空腹時初期評価データ２００ｅａを作成する（図１７Ａ参照）。すなわち、本実施形態では、空腹時初期評価データ２００ｅａの血糖範囲（ｍｇ／ｄＬ）は、第１評価区分が０以上８０未満、第２評価区分が８０以上（Ｃ−１ＳＤｅａ）未満、第３評価区分が（Ｃ−１ＳＤｅａ）以上（Ｃ＋１ＳＤｅａ）未満、第４評価区分が（Ｃ＋１ＳＤｅａ）以上（Ｃ＋２ＳＤｅａ）未満、第５評価区分が（Ｃ＋２ＳＤｅａ）以上に設定されている。この場合、第３評価区分の血糖範囲の中間値が血糖目標値である空腹時初期設定データＣとなる。
【０１３８】
また、評価データ作成部８２は、食後初期設定データＤと初期標準偏差ＳＤｅｂとに基づいて食後初期評価データ２００ｅｂを作成する（図１７Ｂ参照）。この食後初期評価データ２００ｅｂは、上述した空腹時初期評価データ２００ｅａと同様に作成される。
【０１３９】
さらに、評価データ作成部８２は、平均血糖測定値Ｘａと標準偏差ＳＤｕａとに基づいて空腹時評価データ２００ｕａを作成する（図１８Ａ参照）。すなわち、本実施形態では、空腹時評価データ２００ｕａの血糖範囲（ｍｇ／ｄＬ）は、第１評価区分が０以上８０未満、第２評価区分が８０以上（Ｘａ−１ＳＤｕａ）未満、第３評価区分が（Ｘａ−１ＳＤｕａ）以上（Ｘａ＋１ＳＤｕａ）未満、第４評価区分が（Ｘａ＋１ＳＤｕａ）以上（Ｘａ＋２ＳＤｕａ）未満、第５評価区分が（Ｘａ＋２ＳＤｕａ）以上に設定されている。この場合、第３評価区分の血糖範囲の中間値が平均血糖測定値Ｘａとなる。
【０１４０】
さらにまた、評価データ作成部８２は、平均血糖測定値Ｘｂと標準偏差ＳＤｕｂとに基づいて食後評価データ２００ｕｂを作成する（図１８Ｂ参照）。この食後評価データ２００ｕｂは、上述した空腹時評価データ２００ｕａと同様に作成される。
【０１４１】
以上のように構成される血糖計１０Ｂは、上述した第１実施形態で説明したフローチャート（図１０〜図１３参照）と同様の処理が行われる。
【０１４２】
本実施形態は、上述した第１実施形態と同様の効果を奏する。また、血糖目標値である空腹時初期設定データＣを用いて空腹時初期評価データ２００ｅａを作成しているので、当該空腹時初期設定データＣに基づいた評価結果をユーザに知らせることができる。
【０１４３】
さらに、空腹時評価データ２００ｕａにおける第３評価区分の血糖範囲の中間値を過去の所定数（Ｎ２個）の平均血糖測定値Ｘａとしているので、第１実施形態と比較して、第２評価区分に対応した評価画面データがディスプレイ３０に表示され易くなる。換言すれば、第５評価区分に対応した評価画面データがディスプレイ３０に過度に表示されることが一層抑制されるため、ユーザへのストレスをさらに緩和することができる。
【０１４４】
このような上記効果は、食後の血糖測定においても同様に奏する。
【０１４５】
［第１実施形態に係る血糖測定システム３００Ａの構成］
次に、本発明に係る第１実施形態に係る血糖測定システム３００Ａについて説明する。なお、第１実施形態に係る血糖測定システム３００Ａにおいて、上述した血糖計１０Ａと同一又は同様な機能及び効果を奏する要素には同一の参照符号を付し、詳細な説明を省略する。
【０１４６】
図１９に示すように、本実施形態に係る血糖測定システム３００Ａは、血糖計１０Ｃと、血糖計１０Ｃと通信可能な端末装置３０４Ａとを備えている。血糖計１０Ｃを構成する評価データ処理部７６は、血糖計１０Ａを構成する評価データ処理部７６又は血糖計１０Ｂを構成する評価データ処理部７６と同様の機能を有する。
【０１４７】
血糖計１０Ｃと端末装置３０４Ａとの間は、有線、無線、ネットワーク又はこれらの組み合わせからなる通信手段によって接続されている。血糖計１０Ｃを構成するデータ出力部７７は、画面データ作成部８８で作成された評価画面データをディスプレイ３０及びディスプレイ３０２のそれぞれに出力する。端末装置３０４Ａは、携帯電話やスマートフォン等の携帯端末器、パーソナルコンピュータ（ＰＣ）又はタブレットＰＣ等で構成することができる。ディスプレイ３０２は、評価画像データをカラー表示することができる。
【０１４８】
以上のように構成される血糖測定システム３００Ａでは、例えば、端末装置３０４Ａのディスプレイ３０２を血糖計１０Ｃのディスプレイ３０よりも大きく形成することができる。そして、この場合、画面データ作成部８８で作成された評価画面データは、血糖計１０Ｃのディスプレイ３０と端末装置３０４Ａのディスプレイ３０２の両方に表示される。そのため、血糖計１０Ｃを小型化した場合であっても、比較的大きいディスプレイ３０２に評価画面データを表示させることができるので、ユーザや容態に応じた適切な評価結果をユーザに確実に知らせることができる。
【０１４９】
［第２実施形態に係る血糖測定システム３００Ｂの構成］
次に、本発明の第２実施形態に係る血糖測定システム３００Ｂについて説明する。なお、第２実施形態に係る血糖測定システム３００Ｂにおいて、上述した血糖測定システム３００Ａと同一又は同様な機能及び効果を奏する要素には同一の参照符号を付し、詳細な説明を省略する。後述する第３実施形態に係る血糖測定システム３００Ｃについても同様である。
【０１５０】
図２０に示すように、本実施形態に係る血糖測定システム３００Ｂは、血糖計１０Ｄと端末装置３０４Ｂとを備える。具体的には、端末装置３０４Ｂは、血糖測定値演算部７０、判定部７２、リセット処理部７４、評価データ処理部７６及びデータ出力部７７を備えている。すなわち、血糖計１０Ｄには、血糖測定値演算部７０、判定部７２、リセット処理部７４、評価データ処理部７６及びデータ出力部７７が設けられていない。
【０１５１】
このような構成によれば、上述した第１実施形態に係る血糖測定システム３００Ａと同様の効果を奏することができる。また、血糖測定システム３００Ｂでは、血糖測定値演算部７０、判定部７２、リセット処理部７４、評価データ処理部７６及びデータ出力部７７を血糖計１０Ｄに設ける必要がないため、血糖計１０Ｄの小型化を図ることができる。換言すれば、血糖計１０Ｄを上述した血糖計１０Ｃよりも小さく構成することが可能となる。
【０１５２】
［第３実施形態に係る血糖測定システム３００Ｃの構成］
次に、本発明の第３実施形態に係る血糖測定システム３００Ｃについて説明する。図２１に示すように、本実施形態に係る血糖測定システム３００Ｃは、血糖計１０Ｅと端末装置３０４Ｃとを備える。具体的には、端末装置３０４Ｃは、評価データ処理部７６及びデータ出力部７７を備えている。すなわち、血糖計１０Ｅには、評価データ処理部７６及びデータ出力部７７が設けられていない。
【０１５３】
このような構成によれば、上述した第１実施形態に係る血糖測定システム３００Ａと同様の効果を奏することができる。また、血糖測定システム３００Ｃでは、評価データ処理部７６及びデータ出力部７７を血糖計１０Ｅに設ける必要がないため血糖計１０Ｅの小型化を図ることができる。
【０１５４】
上述した血糖測定システム３００Ａ〜３００Ｃを構成する血糖計１０Ｃ〜１０Ｅは、ディスプレイ３０が省略されていてもよい。この場合、例えば、端末装置３０４Ａ〜３０４Ｃにディスプレイ３０の機能を持たせれば、端末装置３０４Ａ〜３０４Ｃを介して血糖計１０Ｃ〜１０Ｅに所定情報を入力することができる。
【０１５５】
上述した実施形態では、体液として血液を挙げて説明したが、これに限定されるものではなく、例えば、リンパ液、髄液、唾液等であってもよい。さらに、体液（血液）中の測定目的とする成分として、ブドウ糖（血糖値）を挙げて説明したが、これに限定されるものではなく、例えば、コレステロール、尿酸、クレアチニン、乳酸、ヘモグロビン（潜血）、各種アルコール類、各種糖類、各種タンパク質、各種ビタミン類、ナトリウム等の各種無機イオン、ＰＣＢやダイオキシン等の環境ホルモンであってもよい。さらにまた、上述した実施形態では、所定成分の量を測定するものとして説明したが、所定成分の性質を測定するものであってもよく、また、所定成分の量及び性質の双方を測定するものであってもよい。
【０１５６】
上記の実施形態では、体液中の所定成分を測定する成分測定装置を例示したが、本発明はこれに限らず、例えば、体液成分以外の人体のバイタルサインを測定する医療機器にも適用可能である。バイタルサインとしては心拍数・呼吸(数）・血圧・体温、血流量、酸素飽和度、心電等を含む。また、ここでいう医療機器とはいわゆるパーソナルユース品に限らず、例えば臨床医療器を含むことはもちろんである。
【０１５７】
本発明に係る成分測定装置、成分測定システム、医療機器及びプログラムは、上述の実施形態に限らず、本発明の要旨を逸脱することなく、種々の構成乃至工程を採り得ることはもちろんである。
【０１５８】
例えば、評価データ作成部は、３つ、４つ又は６つ以上の評価区分を含む空腹時初期評価データ、食後初期評価データ、空腹時評価データ及び食後評価データを作成しても構わない。
【０１５９】
成分測定装置を構成するディスプレイ及び端末装置を構成するディスプレイの少なくともいずれか一方は、白黒表示で構成されていてもよい。この場合であっても、当該ディスプレイには評価マークを表示することで、ユーザは、評価結果を容易に把握することができる。
【符号の説明】
【０１６０】
１０Ａ〜１０Ｅ…血糖計（成分測定装置、医療機器）
３０、３０２…ディスプレイ              ４０…制御部
４６…カウンタ                          ４８…測定部
７２…判定部                            ７４…リセット処理部
７８…標準偏差演算部                    ８０…平均血糖測定値演算部
８２…評価データ作成部                  ８４…評価データ補正部
８６…評価区分決定部                    ８８…画面データ作成部
３００Ａ〜３００Ｃ…血糖測定システム    ３０４Ａ〜３０４Ｃ…端末装置
【図１】
2015066142.tif 000003
【図２】
2015066142.tif 000004
【図３】
2015066142.tif 000005
【図４】
2015066142.tif 000006
【図５】
2015066142.tif 000007
【図６】
2015066142.tif 000008
【図７】
2015066142.tif 000009
【図８】
2015066142.tif 000010
【図９】
2015066142.tif 000011
【図１０】
2015066142.tif 000012
【図１１】
2015066142.tif 000013
【図１２】
2015066142.tif 000014
【図１３】
2015066142.tif 000015
【図１４】
2015066142.tif 000016
【図１５】
2015066142.tif 000017
【図１６】
2015066142.tif 000018
【図１７】
2015066142.tif 000019
【図１８】
2015066142.tif 000020
【図１９】
2015066142.tif 000021
【図２０】
2015066142.tif 000022
【図２１】
2015066142.tif 000023
【図２２】
2015066142.tif 000024